(57)【要約】【課題】前面パネル幅方向についての表示板吊下げ位置を変更可能な吊下げ構造を有する、自動販売機を提供する。【解決手段】自動販売機１は、透明な前面パネル７ａの背面側に形成され販売商品に関する展示室（商品サンプル展示室７）を有し、この展示室内に、販売商品に関する情報を表示する表示板９と、表示板９を吊下げる吊下げ部１１を有する表示板保持部材１０と、を含む自動販売機１であって、表示板保持部材１０は、展示室内にて前面パネル幅方向に延在してなり、吊下げ部１１は、前面パネル幅方向に離間する複数個所に設けられる、構成とする。【選択図】図２
2016053752.tif 000002
【特許請求の範囲】
【請求項１】
透明な前面パネルの背面側に形成され販売商品に関する展示室を有し、該展示室内に、前記販売商品に関する情報を表示する表示板と、該表示板を吊下げる吊下げ部を有する表示板保持部材と、を含む自動販売機であって、
前記表示板保持部材は、前記展示室内にて前面パネル幅方向に延在してなり、
前記吊下げ部は、前記前面パネル幅方向に離間する複数個所に設けられる自動販売機。
【請求項２】
前記展示室は、前記販売商品の商品サンプルを展示し、
前記展示室内に、前記商品サンプルを配置するためのサンプル保持部材を更に含む、請求項１に記載の自動販売機。
【請求項３】
前記展示室は、前記販売商品を展示し、
前記展示室内に、前記販売商品を配置すると共に該販売商品を払い出すための販売商品払出装置と、前記前面パネルと前記販売商品払出装置との間の領域を移動すると共に前記払い出された販売商品を受け入れる受入容器とを更に含む、請求項１に記載の自動販売機。
【請求項４】
前記表示板保持部材は、前記前面パネルと前記サンプル保持部材との間に設けられる、請求項２に記載の自動販売機。
【請求項５】
前記表示板保持部材は、前記前面パネルと前記受入容器との間に設けられる、請求項３に記載の自動販売機。
【請求項６】
前記前面パネルの前面の前記サンプル保持部材に対応する位置に設けられ、利用者が購入商品を選択するための商品選択ボタンを更に含み、該商品選択ボタンは前記表示板保持部材を用いて前記前面パネルに取付けられる、請求項４に記載の自動販売機。
【請求項７】
前記表示板保持部材は、前記前面パネルに当接すると共に前記前面パネル幅方向に延在する前面部と、該前面部の下端全体から前記前面パネルとは反対側に延びる板状の下端部とを有し、
前記各吊下げ部は、少なくとも前記下端部に設けられる一対の開口孔であって、互いに前記前面パネル幅方向に所定間隔だけ離間した位置に開口形成される一対の開口孔からなる、請求項１〜６のいずれか１つに記載の自動販売機。
【請求項８】
前記各開口孔は、前記下端部にて、それぞれ前記前面パネル幅方向にスリット状に開口形成されてなる、請求項７に記載の自動販売機。
【請求項９】
前記表示板は、その周縁部のうちの上縁側中央部に上方に開口して切欠き形成される上方切欠き部と、前記周縁部のうちの上縁側の両側部に幅方向外方に開口してそれぞれ切欠き形成される一対の側方切欠き部とを有し、
複数の前記一対の開口孔のうちの一の前記一対の開口孔の一方の開口孔に、一方の前記側方切欠き部が係止される共に、該一対の開口孔の他方の開口孔に、他方の前記側方切欠き部が係止されて、前記表示板が吊下げられる、請求項８に記載の自動販売機。
【発明の詳細な説明】
【技術分野】
【０００１】
本発明は、販売商品に関する展示室を有する自動販売機に関し、詳しくは、展示室内に販売商品に関する情報を表示する表示板を備えた自動販売機に関する。
【背景技術】
【０００２】
一般的な自動販売機は、例えば、缶入り飲料やペットボトル入り飲料などの容器入り飲料等の販売商品の商品サンプルを展示するための商品サンプル展示室や、上記各種飲料や各種袋に入れられたパンや即席めん等の販売商品自体を展示する販売商品展示室等の、販売商品に関する展示室を有している。この種の自動販売機では、販売の促進を図るため、展示室内に、販売商品のメーカー名やそのロゴマーク等の販売商品に関する情報を表示する表示板を吊下げる場合がある。
【０００３】
この種の自動販売機としては、特許文献１に記載された自動販売機が知られている。特許文献１に記載された自動販売機は、透明な前面パネルの背面側に商品サンプル展示室を有し、前面パネルの上端部にその背面側から取付けられる表示板保持部材を備えている。この表示板保持部材には、表示板を係止する一対の係止部が突設形成されている。そして、表示板にはその上縁両端部にそれぞれ貫通孔が形成され、この貫通孔に係止部を引っ掛けることにより、表示板が表示板保持部材に吊下げられている。この突設形成される一対の係止部は、表示板を吊下げた場合に、表示板が前面パネル幅方向の略中央に位置するように突設形成されている。
【先行技術文献】
【特許文献】
【０００４】
【特許文献１】特開２０１０−４４７４３号公報
【発明の概要】
【発明が解決しようとする課題】
【０００５】
ところで、この種の自動販売機で販売される販売商品の種類、その容器等の種類及びその容器等の大きさは、多種多様である。したがって、例えば、一部の種類の販売商品について、その販売の促進を図るために、その販売商品に関する情報を表示した表示板を、対応する商品サンプルや販売商品自体の近くに配置させたい場合や、容器高さの高い商品サンプルや販売商品自体の前に表示板が位置してしまい、商品サンプルや販売商品自体の視認性が低くなる場合等に、表示板を適切な位置に吊下げたいという要望がある。
つまり、販売の促進効果の向上や展示室内の商品サンプル又は販売商品の視認性低下の防止等を図るため、表示板の吊下げ位置を変更したい場合がある。
【０００６】
しかしながら、特許文献１に記載の自動販売機では、表示板の吊下げ位置は前面パネル幅方向の略中央に固定されており、表示板の吊下げ位置を適宜変更することができない。このため、表示板の吊下げ構造についての工夫が求められている。
【０００７】
そこで、本発明は、このような実状に鑑み、前面パネル幅方向についての表示板吊下げ位置を変更可能な吊下げ構造を有する、自動販売機を提供することを目的とする。
【課題を解決するための手段】
【０００８】
本発明の一側面によると、自動販売機は、透明な前面パネルの背面側に形成され販売商品に関する展示室を有し、該展示室内に、前記販売商品に関する情報を表示する表示板と、該表示板を吊下げる吊下げ部を有する表示板保持部材と、を含む自動販売機であって、前記表示板保持部材は、前記展示室内にて前面パネル幅方向に延在してなり、前記吊下げ部は、前記前面パネル幅方向に離間する複数個所に設けられる構成とする。
【発明の効果】
【０００９】
本発明によれば、販売商品に関する展示室内に、表示板と、この表示板を吊下げる吊下げ部を有する表示板保持部材と、を備え、表示板保持部材は、展示室内にて前面パネル幅方向に延在してなり、吊下げ部は、前面パネル幅方向に離間する複数個所に設けられる構成であるため、複数の吊下げ部の中から一の吊下げ部を選択して、その選択した吊下げ部を介して表示板保持部材に表示板を吊下げることができる。
これにより、表示板の前面パネル幅方向についての吊下げ位置を変更したい場合は、複数の吊下げ位置に対応して設けられる各吊下げ部の中から適切な吊下げ部を適宜選択して、表示板の吊下げ位置を変更することができる。その結果、例えば、販売の促進効果の向上や展示室内の商品サンプル又は販売商品の視認性低下の抑制等を図ることができる。
【００１０】
このようにして、前面パネル幅方向についての表示板吊下げ位置を変更可能な吊下げ構造を有する、自動販売機を提供することを目的とする。
【図面の簡単な説明】
【００１１】
【図１】本発明の一実施形態における自動販売機の概略正面図である。
【図２】上記実施形態における表示板の正面図である。
【図３】上記実施形態における表示板の吊下げ構造を説明するための自動販売機の部分断面図である。
【図４】上記実施形態における前面パネルの背面側から見た保持部材と表示板を含む要部斜視図である。
【図５】図４に示す上段の保持部材と表示板を含む部分拡大斜視図である。
【図６】図４に示す中段又は下段の保持部材と表示板を含む部分拡大斜視図である。
【図７】図５に示すＢ部の縦断面図である。
【図８】図６に示すＣ部の縦断面図である。
【図９】上記実施形態における表示板の変形例を示す図である。
【図１０】上記実施形態における上段の保持部材の開口孔の変形例を示す図である。
【図１１】上記実施形態における中段又は下段の保持部材の開口孔の変形例を示す図である。
【発明を実施するための形態】
【００１２】
以下、添付図面を参照して本発明の実施形態について説明する。
図１は、本発明の一実施形態による自動販売機１の概略正面図である。図２は図１に示すＡ−Ａ矢視の部分断面図である。
この自動販売機１は、缶入り飲料やペットボトル入り飲料などの容器入り飲料を商品として販売するものである。なお、図示を省略するが、自動販売機１内には、それぞれが同種類の複数の商品を収納する複数の商品収納コラムが配設されている。各商品収納コラムは、自動販売機１内を独立した断熱空間に区画された複数の庫室内に配置されており、自動販売機１内に設けられた冷却／加温機によって庫室ごとに商品の冷却又は加温を行えるように構成されている。また、各商品収納コラムには、収納している商品を一つずつ搬出するための商品搬出機が設けられている。
【００１３】
図１に示すように、自動販売機１の前面（接客面）には、利用者によって金銭が投入される金銭投入口２（紙幣投入口２ａ，硬貨投入口２ｂ）と、投入金銭の金額等を表示するデジタル表示器３と、投入金銭などの返却レバー４と、前記商品搬出機によって搬出された商品を利用者が取り出すための商品取出口５と、つり銭などを返却する硬貨返却口６とが設けられている。また、自動販売機１の前面上部には、前記複数の商品収納コラムに収納されている各販売商品に対応する商品サンプルＳを展示するための商品サンプル展示室７が設けられている。本実施形態において、この商品サンプル展示室７が本発明に係る販売商品に関する「展示室」に相当する。
【００１４】
この展示室としての商品サンプル展示室７は、図１及び図２に示すように、自動販売機１の前面（接客面）上部の開口部に取り付けられた透明な前面パネル７ａの背面側に形成されている。商品サンプル展示室７は、例えば、前面パネル７ａと、天井板（図２参照）と、前面パネル７ａと対向する背面パネル（図示省略）と、天井板と対向する底板（図示省略）と、前面パネル幅方向の両側面パネル（図示省略）とによって区画形成されている。この商品サンプル展示室７内には、商品サンプルＳを配置するためのサンプル台８と、販売商品に関する情報を表示する表示板９と、この表示板９を保持するための保持部材１０（図２参照）と、が備えられている。なお、本実施形態において、このサンプル台８が本発明に係る「サンプル保持部材」に相当し、保持部材１０が本発明に係る「表示板保持部材」に相当する。
【００１５】
本実施形態において、サンプル台８は、上下方向に間隔を空けて複数段（ここでは三段）に設けられている。以下において、上段、中段、下段の各サンプル台８を、それぞれ上段のサンプル台８１、中段のサンプル台８２、下段のサンプル台８３という。また、各サンプル台（８１，８２，８３）は、例えば、上述した背面パネルに取付けられ、それぞれ前面パネル７ａから同一距離だけ離間して配置されている。
【００１６】
具体的には、各サンプル台８は、全体として前面パネル幅方向（左右方向）に延伸して形成されている。そして、各サンプル台８は、複数の商品サンプルＳが載置される載置部８ａを有し、例えば、薄板鋼板を板金加工等して形成されている。
【００１７】
前記表示板９は、販売商品に関する情報を表示する板状のものであり、例えば、フィルムやシート等の湾曲変形可能な樹脂材を用いて形成される。この販売商品に関する情報とは、例えば、販売商品のメーカー名、ロゴマーク、キャンペーン情報、宣伝情報等である。この各種情報が、表示板９の前面に予め印字等されている。
【００１８】
本実施形態において、表示板９は、図３に示すように、例えば、その周縁部のうちの上縁側中央部に上方に開口して切欠き形成される上方切欠き部９ａと、周縁部のうちの上縁側の両側部に幅方向外方に開口してそれぞれ切欠き形成される一対の側方切欠き部９ｂ，９ｂと、上方切欠き部９ａと各側方切欠き部９ｂとの間に位置し長手方向を表示板幅方向に合わせて開口形成される一対の長穴部９ｃ，９ｃとを有している。
表示板９は、より具体的には、図３に示すように、例えば、平面視で概略台形状、詳しくは、上方切欠き部９ａ側を長辺とし、上方切欠き部９ａとは反対側を短辺とする概略台形状になっている。
また、上方切欠き部９ａを挟む表示板９の上縁側突設部９ｄ，９ｄの各幅Ｌ１は、後述する吊下げ部１１を構成する各一対のスリットの各スリット（１０１ｂ１〜１０１ｂ３、１０２ｂ１〜１０２ｂ３、１０３ｂ１〜１０３ｂ３）の前面パネル幅方向の長さＬ４（後述の図５及び図６参照）より小さく設定されている。また、表示板９の厚みは、上記各スリットのスリット幅より小さく設定されている。そして、一対の側方切欠き部９ｂ，９ｂの間の距離（内寸）Ｌ２は、上記各一対のスリットの全幅Ｌ５（後述の図５及び図６参照）より小さく設定され、表示板９の全幅Ｌ３は、上記各一対のスリットの全幅Ｌ５より大きく設定されている。つまり、表示板９は、Ｌ４＞Ｌ１、Ｌ３＞Ｌ５＞Ｌ２の関係を満たすように形成されている。
【００１９】
前記保持部材１０は、表示板９を保持するためのものであり、サンプル展示室７内にて前面パネル幅方向に延在してなる。また、保持部材１０は、表示板９を吊下げる吊下げ部１１（後述する図４参照）を有する。この吊下げ部１１は、前面パネル幅方向に離間する複数個所に設けられる。つまり、保持部材１０の前面パネル幅方向に離間する複数個所に、吊下げ部１１が形成されている。
【００２０】
本実施形態において、図２に示すように、保持部材１０は、前面パネル７ａとサンプル台８との間に設けられている。
【００２１】
また、本実施形態において、保持部材１０は、前面パネル７ａに当接すると共に前面パネル幅方向に延在する前面部１０ａと、前面部１０ａの下端全体から前面パネル７ａとは反対側（つまりサンプル台側）に延びる板状の下端部１０ｂとを有して形成されている。
【００２２】
具体的には、保持部材１０は、図４〜図６に示すように、各サンプル台８に対応して、上下方向に間隔を空けて複数段（ここでは三段）に設けられている。つまり、保持部材１０は、各サンプル台の商品サンプルＳの上方にそれぞれ設けられている。
なお、以下において、上段、中段、下段の各保持部材１０を、それぞれ上段の保持部材１０１、中段の保持部材１０２、下段の保持部材１０３という。
【００２３】
図４は、前面パネル７ａの背面側から見た（詳しくは前面パネル７ａの背面に向かって斜め左側下方から見た）保持部材１０と表示板９を含む要部斜視図である。図５は、図４に示す上段の保持部材１０１（１０）に、表示板９が吊下げられている状態を示した拡大斜視図である。図６は、図４に示す中段の保持部材１０２（１０）又は下段の保持部材１０３（１０）に、表示板９が吊下げられている状態を斜め上方（詳しくは前面パネル７ａの背面に向かって斜め左側上方から見た）から示した拡大斜視図である。
中段の保持部材１０２と下段の保持部材１０３は、同じものである。そして、中段の保持部材１０２は、上段のサンプル台８１の前方に設けられる後述する商品選択ボタン１２の裏面側に設けられ、下段の保持部材１０３は、中段のサンプル台８２の前方に設けられる商品選択ボタン１２の裏面側に設けられ、それぞれ、商品選択ボタン１２を支持する部材としても機能する。この中段及び下段の保持部材（１０２，１０３）と同じものが、下段のサンプル台８３の前方に設けられる商品選択ボタン１２を支持する支持部材１０４として用いられている。
【００２４】
具体的には、上段の保持部材１０１は、図４、図５及び図５に示すＢ部における上段の保持部材１０１の吊下げ部１１を含む縦断面図である図７に示すように、前面パネル７ａに当接すると共に前面パネル幅方向に延在する前面部１０１ａと、前面部１０１ａの下端全体から斜め上方にサンプル台側に延びる板状の下端部１０１ｂとを有して形成されている。
また、上段の保持部材１０１の下端部１０１ｂには、上段の保持部材１０１の前面パネル幅方向に離間する複数個所（例えば、３箇所）に、吊下げ部１１が形成されている。
【００２５】
中段の保持部材１０２、下段の保持部材１０３は、図４、図６及び図６に示すＣ部における保持部材（１０２，１０３）の吊下げ部１１を含む縦断面図である図８に示すように、前面パネル７ａに当接すると共に前面パネル幅方向に延在する前面部（１０２ａ，１０３ａ）と、前面部（１０２ａ，１０３ａ）の下端全体から前面部（１０２ａ，１０３ａ）に対して垂直方向にサンプル台側に延びる板状の下端部（１０２ｂ，１０３ｂ）と、下端部（１０２ｂ，１０３ｂ）のサンプル台側端部全体から上方に延びる板状の上方延伸部（１０２ｃ，１０３ｃ）と、を有して形成されている。
また、中段の保持部材１０２の下端部１０２ｂ及び下段の保持部材１０３の下端部１０３ｂには、それぞれ、保持部材（１０２，１０３）の前面パネル幅方向に離間する複数個所（例えば、３箇所）に、吊下げ部１１が形成されている。
本実施形態において、各段の保持部材（１０１，１０２，１０３）の上記前面部（１０１ａ，１０２ａ，１０３ａ）が、それぞれ本発明に係る前面部１０ａに相当し、下端部（１０１ｂ，１０２ｂ，１０３ｂ）が、それぞれ本発明に係る下端部１０ｂに相当する。
【００２６】
本実施形態において、各吊下げ部１１は、少なくとも下端部１０ｂに設けられる一対の開口孔であって、互いに前面パネル幅方向に所定間隔だけ離間した位置に開口形成される一対の開口孔からなる。
具体的には、吊下げ部１１としての上記各開口孔は、下端部１０ｂにて、それぞれ前面パネル幅方向にスリット状に開口形成されてなる。本実施形態においては、以下において、この「一対の開口孔」を「一対のスリット」という。
より具体的には、上段の保持部材１０１に形成される各吊下げ部１１は、下端部１０１ｂに形成される一対のスリット（１０１ｂ１，１０１ｂ１、１０１ｂ２，１０１ｂ２及び１０１ｂ３，１０１ｂ３）からなり、中段の保持部材１０２に形成される各吊下げ部１１は、下端部１０２ｂに形成される一対のスリット（１０２ｂ１，１０２ｂ１、１０２ｂ２，１０２ｂ２及び１０２ｂ３，１０２ｂ３）からなり、下段の保持部材１０３に形成される各吊下げ部１１は、下端部１０３ｂに形成される一対のスリット（１０３ｂ１，１０３ｂ１、１０３ｂ２，１０３ｂ２及び１０３ｂ３，１０３ｂ３）からなる。つまり、本実施形態において、吊下げ部１１は、全体として、９箇所に設けられている。なお、上段の一対のスリット１０１ｂ２，１０１ｂ２のうちの一方と、一対のスリット１０１ｂ３，１０１ｂ３のうちの一方とは共通している。
【００２７】
そして、図５及び図６に示すように、各一対のスリットの各スリット（１０１ｂ１〜１０１ｂ３、１０２ｂ１〜１０２ｂ３、１０３ｂ１〜１０３ｂ３）の前面パネル幅方向の長さＬ４は、上縁側突設部９ｄの幅Ｌ１より大きく設定されている。また、各一対のスリットの全幅Ｌ５は、一対の側方切欠き部９ｃ，９ｃの間の距離Ｌ２より大きく、かつ、表示板９の全幅Ｌ３より小さく（Ｌ３＞Ｌ５＞Ｌ２）設定されている。そして、上記各スリットのスリット幅は、表示板９の厚みより大きく設定されている。
【００２８】
図１に戻って、透明な前面パネル７ａの前面（接客面側）には、利用者が購入商品を選択するための商品選択ボタン１２が配設されている。
商品選択ボタン１２は、例えば、前面パネル７ａの前面の各サンプル台８に対応する位置に設けられ、詳しくは、保持部材１０（１０２，１０３）を用いて前面パネル７ａに取付けられる。下段の商品選択ボタン１２を前面パネル７ａに取付ける支持部材１０４は、中段及び下段の保持部材１０２，１０３と同じものを用いて構成されている。
【００２９】
次に、表示板９の吊下げ方法について、図１及び図４〜図６を参照して説明する。
なお、図１に示すように、例えば、上段のサンプル台８１については、その上方の図中右側に表示板９を吊下げるものとし、中段のサンプル台８２及び下段のサンプル台８３については、図中右側に容器高さの低い商品サンプルＳがまとめて配列されており、この右側の商品サンプルＳの上方に、表示板９を吊下げるものとして説明する。
【００３０】
まず、上段の商品サンプルＳ用の表示板９の吊下げ方法について説明する。例えば、前面パネル７ａの裏面側から向かって左側の吊下げ部１１を構成する一対のスリット１０１ｂ１，１０１ｂ１のうちの一方（図４及び図５において左側のスリット１０１ｂ１）に、表示板９の一方の上縁側突設部９ｄを下方から差し込む。その後、表示板９を、図５において、左側にスライドさせる。これにより、一方のスリット１０１ｂ１に、表示板９の一方の側方切欠き部９ｂが引っ掛けられる。この状態で、表示板９にこの表示板９をさらに左側に移動させる力を付勢し、他方（右側）のスリット１０１ｂ１の下方に他方の上縁側突設部９ｄが位置するまで、表示板９を湾曲変形させる。そして、この状態で、他方のスリット１０１ｂ１に、他方の上縁側突設部９ｄを下方から差し込む。その後、上記付勢力を解除して、表示板９の湾曲変形を解消させることで、他方のスリット１０１ｂ１に、表示板９の他方の側方切欠き部９ｂが引っ掛けられる。これにより、表示板９が吊下げ部１１を介して、上段の保持部材１０１に吊下げられる。
このようにして、複数の一対のスリット（１０１ｂ１，１０１ｂ１、１０１ｂ２，１０１ｂ２及び１０１ｂ３，１０１ｂ３）のうちの一の一対のスリット（１０１ｂ１，１０１ｂ１）の一方のスリット１０１ｂ１に、表示板９の一方の側方切欠き部９ｂが係止される共に、一対のスリット（１０１ｂ１，１０１ｂ１）の他方のスリット１０１ｂ１に、他方の側方切欠き部９ｂが係止されて、表示板９が、上段のサンプル台８１の上方で、且つ、前面パネル７ａの正面側から見て、右側に吊下げられる。
【００３１】
次に、中段の商品サンプルＳ用の表示板９の吊下げ方法について概略説明する。例えば、一対のスリット１０２ｂ１，１０２ｂ１のうちの一方（図４及び図６において左側のスリット１０２ｂ１）に、表示板９の一方の上縁側突設部９ｄを下方から差し込む。その後、表示板９を、図６において、左側にスライドさせる。これにより、一方のスリット１０２ｂ１に、表示板９の一方の側方切欠き部９ｂが引っ掛けられる。この状態で、表示板９にこの表示板９をさらに左側に移動させる力を付勢し、他方（右側）のスリット１０２ｂ１の下方に他方の上縁側突設部９ｄが位置するまで、表示板９を湾曲変形させる。この状態で、他方のスリット１０２ｂ１に、他方の上縁側突設部９ｄを下方から差し込む。その後、付勢力を解除して、表示板９の湾曲変形を解消させることで、他方のスリット１０２ｂ１に、表示板９の他方の側方切欠き部９ｂが引っ掛けられる。これにより、表示板９が吊下げ部１１を介して、中段の保持部材１０２に吊下げられる。
このようにして、複数の一対のスリット（１０２ｂ１，１０２ｂ１、１０２ｂ２，１０２ｂ２及び１０２ｂ３，１０２ｂ３）のうちの一の一対のスリット（１０２ｂ１，１０２ｂ１）の一方のスリット１０２ｂ１に、表示板９の一方の側方切欠き部９ｂが係止される共に、一対のスリット（１０２ｂ１，１０２ｂ１）の他方のスリット１０２ｂ１に、他方の側方切欠き部９ｂが係止されて、表示板９が、中段のサンプル台８２の上方で、且つ、前面パネル７ａの正面側から見て、右側に吊下げられる。
また、下段の商品サンプルＳ用の表示板９についても、上記中段の保持部材１０２への吊下げ方法と同様にして、下段の保持部材１０２の一対のスリット（１０３ｂ１，１０３ｂ１）を介して、下段のサンプル台８３の上方で、且つ、前面パネル７ａの正面側から見て、右側に吊下げられる。
【００３２】
かかる本実施形態による自動販売機１によれば、販売商品に関する展示室としての商品サンプル展示室７内に、表示板９と、この表示板９吊下げる吊下げ部１１を有する表示板保持部材としての保持部材１０と、を備え、保持部材１０は、サンプル展示室７内にて前面パネル幅方向に延在してなり、吊下げ部１１は、この保持部材１０の延在方向に離間する複数個所に設けられる構成であるため、複数の吊下げ部１１の中から一の吊下げ部１１を選択して、その選択した吊下げ部１１を介して保持部材１０に表示板９を吊下げることができる。
これにより、表示板９の前面パネル幅方向についての吊下げ位置を変更したい場合は、複数の吊下げ位置に対応して設けられる各吊下げ部１１の中から適切な吊下げ部１１を適宜選択して、表示板９の吊下げ位置を変更することができる。その結果、例えば、販売の促進効果の向上やサンプル展示室７内の商品サンプルの視認性低下の抑制等を図ることができる。
【００３３】
このようにして、前面パネル幅方向についての表示板吊下げ位置を変更可能な吊下げ構造を有する、自動販売機を提供することができる。
【００３４】
また、本実施形態においては、保持部材１０は、前面パネル７ａとサンプル台８との間に設けられる構成とした。つまり、前面パネル７ａとサンプル台８との間の領域に、保持部材１０を配置する構成とした。これにより、表示板９を商品サンプル展示室７内で前面パネル７ａ側に寄せて配置させ、表示板９の視認性を高めることができる。なお、保持部材１０は、これに限らず、例えば、サンプル台８の上方斜め後方に位置するように設けてもよい。
【００３５】
また、本実施形態において、保持部材１０は、複数段に設けるものとし、例えば、上段の保持部材１０１と、中段の保持部材１０２及び下段の保持部材１０３とを異なる部材で構成するものとして説明したが、これに限らず、複数段に設ける場合、各段の保持部材１０をそれぞれ同じ部材で構成してもよい。
【００３６】
また、本実施形態においては、商品選択ボタン１２を設け、その商品選択ボタン１２は保持部材１０を用いて前面パネル７ａに取付けられる構成とした。これにより、商品選択ボタン１２の支持部材１４と保持部材１０とを共通部品とすることができ、部品点数を削減することができる。
【００３７】
さらに、本実施形態においては、各吊下げ部１１は、保持部材１０の下端部１０ｂに設けられる一対の開口孔であって、互いに前面パネル幅方向に所定間隔だけ離間した位置に開口形成される一対の開口孔からなる構成とした。これにより、単に、保持部材１０の適宜箇所に開口孔を形成するだけで、吊下げ部１１を構成することができ、容易に、吊下げ構造を構築することができる。
また、本実施形態では、上記各開口孔は、単に、下端部１０ｂにて、それぞれ前面パネル幅方向にスリット状に開口形成されてなるものとした。つまり、下端部１０ｂにのみ開口孔としてスリットを形成するものとした。これにより、より容易に、吊下げ構造を構築することができる。さらに、下端部１０ｂの下方に表示板９を吊下げる構成であるため、表示板９を前面パネル側に寄せて配置することができ、その結果、表示板９をサンプルＳと接触（干渉）することなく吊下げることができる。
【００３８】
そして、本実施形態においては、表示板９は、例えば、湾曲変形可能であり、周縁部のうちの上縁側中央部に上方に開口して切欠き形成される上方切欠き部９ａと、周縁部のうちの上縁側の両側部に幅方向外方に開口してそれぞれ切欠き形成される一対の側方切欠き部９ｂ，９ｂとを有する構成とした。これにより、一対のスリットの一方のスリットに、一方の側方切欠き部９ｂを引っ掛けた状態で、表示板９を屈曲変形させて、他方のスリットに他方の側方切欠き部９ｂを引っ掛けるだけで、表示板９を、所定の吊下げ位置に吊下げることができ、表示板９を容易に吊下げることができる。
【００３９】
また、本実施形態においては、表示板９は、上方切欠き部９ａと各側方切欠き部９ｂとの間に位置し長手方向を表示板幅方向に合わせて開口形成される一対の長穴部９ｃ，９ｃを有する構成とした。これにより、単に、一対の係止部が突設形成されている従来の吊下げ構造の保持部材を有する自動販売機において、その一対の係止部に長穴部９ｃ，９ｃを引っ掛けて表示板９を吊下げることができる。つまり、従来の吊下げ構造を有する自動販売機内でも利用可能な表示板９を提供することができ、表示板９に従来の自動販売機へ適用可能に互換性を持たせることができる。
なお、表示板９は、一対の長穴部９ｃ，９ｃを有する場合に限らず、図９に示すように、上切欠き部９ａと一対の側方切欠き部９ｂ，９ｂを備えていればよい。
【００４０】
また、本実施形態において、表示板９は、湾曲変形可能で且つ透明な板状の樹脂材（例えば、フィルムやシート等）からなるものとするとよい。このように、透明な表示板９を用いる場合、サンプルＳの容器高さに拘わらず、表示板９をサンプルＳの視認性を低下させることなく、前面パネル幅方向の適宜吊下げ位置に吊下げることができる。例えば、上記実施形態では、表示板９は、中段及び下段については、図１において右側で吊下げるものとしたが、表示板９が透明であれば、中央又は左側の容器高さの高い商品サンプルＳの前に吊下げるようにすることができる。
なお、表示板９は、湾曲変形可能であるものとし、例えば、フィルムやシート等を用いた場合で説明したが、これに限らない。以下に詳述する一対の開口孔の変形例を採用する場合等には、表示板９は、例えば、厚みのあるプレート等の湾曲変形ができないもの、若しくは、湾曲変形が容易でないものを用いることもできる。
【００４１】
本実施形態において、上段、中段及び下段の保持部材１０にそれぞれ設けた吊下げ部１１としての一対の開口孔は、下端部１０ｂに形成され、その各開口孔は、その下端部１０ｂにて、それぞれ、単に、前面パネル幅方向にスリット状に開口形成されてなる一本のスリットであるものして説明したが、これに限らない。
図１０は、本実施形態における上段の保持部材１０の一対の開口孔の変形例を示す図であり、図１１は、本実施形態における中段又は下段の保持部材１０の一対の開口孔の変形例を示す図である。なお、図の簡略化のため、図１０及び図１１においては、左側の吊下げ部１１を構成する一対の開口孔のみを示したが、この左側の吊下げ部１１と同じ構成の吊下げ部１１が、それぞれ中央及び右側にも形成されている。
【００４２】
例えば、上段の保持部材１０の各開口孔は、図１０に示される左側の吊下げ部１１を構成する各開口孔のように、下端部１０ｂにて、前面パネル幅方向にスリット状に開口形成されてなるスリット部１０１ｂ１’と、このスリット部１０１ｂ１’の下方において該スリット部１０１ｂ１’と連通すると共に前面パネル幅方向にスリット状に開口形成される下方スリット部１０１ｂ１”とを有して形成されている。
具体的には、スリット部１０１ｂ１’は、図４、図５及び図７で符号１０１ｂ１を付して示したスリットと同じ寸法及び配置位置で形成されている。また、下方スリット部１０１ｂ１”の前面パネル幅方向の長さＬ４’は、スリット部１０１ｂ１’の前面パネル方向の長さＬ４より小さく設定されている。このＬ４’は、図３及び図９に示す表示板９の側方切欠き部９ｂの切欠き端部と上縁側突設部９ｄの上方切欠き部側端部との間の距離Ｌ１’より大きく設定されている（つまり、Ｌ４＞Ｌ４’＞Ｌ１’）。そして、一対の開口孔は、互いに下方スリット部１０１ｂ１”を内側に寄せて形成されている。また、各一対の開口孔の全幅Ｌ５は、表示板９の全幅Ｌ３より大きく設定されている（つまり、Ｌ５＞Ｌ３）。
例えば、図１０に示す吊り下げ部１１に表示板９を吊下げる場合、この吊下げ部１１を構成する一対の開口孔の各スリット部１０１ｂ１’に、表示板９の上縁側突設部９ｄをそれぞれ差し込む。その後、表示板９を、下方に移動させる。これにより、一対の開口孔の下方スリット部１０１ｂ１”に、表示板９の各側方切欠き部９ｂが引っ掛けられる。このようにして、表示板９が吊下げ部１１を介して、上段の保持部材１０１に吊下げられる。
【００４３】
また、中段及び下段の保持部材１０の各開口孔は、図１１に示される左側の吊下げ部１１を構成する各開口孔のように、下端部１０ｂ（１０２ｂ、１０３ｂ）にて、前面パネル幅方向にスリット状に開口形成されてなるスリット部（１０２ｂ１’、１０３ｂ１’）と、上方延伸部（１０２ｃ，１０３ｃ）においてこのスリット部（１０２ｂ１’、１０３ｂ１’）と連通すると共に前面パネル幅方向にスリット状に開口形成される上方スリット部（１０２ｂ１”、１０３ｂ１”）とを有して形成されている。つまり、この変形例では、中段及び下段の保持部材１０の各開口孔は、下端部１０ｂ（１０２ｂ、１０３ｂ）と上方延伸部（１０２ｃ，１０３ｃ）とに跨いで形成されている。
具体的には、上方スリット部（１０２ｂ１”、１０３ｂ１”）の前面パネル幅方向の長さＬ６は、上縁側突設部９ｄの幅Ｌ１より大きく形成され、上方スリット部（１０２ｂ１”、１０３ｂ１”）の開口高さｈ１は、図３及び図９に示す側方切欠き部９ｂの上方の突設部９ｅの高さｈ２より大きく設定されている。また、一対の上方スリット部（１０２ｂ１”、１０２ｂ１”、及び、１０３ｂ１”、１０３ｂ１”）の全幅Ｌ７（つまり、一対の開口孔の全幅）は、表示板９の全幅Ｌ３より大きく設定されている（Ｌ７＞Ｌ３）。また、スリット部（１０２ｂ１’、１０３ｂ１’）の前面パネル幅方向の長さＬ８は、Ｌ６より小さく且つＬ１’より大きく設定されている（つまり、Ｌ６＞Ｌ８＞Ｌ１’）。そして、一対の開口孔は、互いにスリット部（１０２ｂ１’、１０３ｂ１’）を内側に寄せて形成されている。
例えば、図１１に示す吊り下げ部１１に表示板９を吊下げる場合、この吊下げ部１１を構成する一対の開口孔の各上方スリット部（１０２ｂ１”、１０３ｂ１”）に、その前方から上縁側突設部９ｄの突設部９ｅ（図３及び図９参照）を含む部分をそれぞれ差し込む。これにより、一対の開口孔のスリット部（１０２ｂ１’、１０３ｂ１’）に、表示板９の各側方切欠き部９ｂが引っ掛けられる。このようにして、表示板９が吊下げ部１１を介して、中段及び下段の保持部材（１０２，１０３）に吊下げられる。
【００４４】
また、一対の開口孔からなる各吊下げ部１１は、上記変形例（図１０及び図１１）に限らず、少なくとも下端部１０ｂに設けられ、互いに前面パネル幅方向に所定間隔だけ離間した位置に開口形成されていればよい。
【００４５】
また、本実施形態においては、サンプル台８は複数段設ける場合で説明したが、これに限らず、サンプル台８は１段であってもよい、この場合、保持部材１０は、例えば、上段の保持部材１０１を用いるだけでよい。
また、本実施形態において、サンプル台８の上にサンプルＳを載置するものとしたが、これに限らず、例えば、サンプル展示室７を区画する図示省略した背面パネルに金具等を介してサンプルＳを固定してもよい。この場合、この背面パネルが本発明に係る「サンプル保持部材」となる。
【００４６】
また、本実施形態において、吊下げ部１１は、前面パネル幅方向の３箇所に設ける場合で説明したが、これに限らず、２箇所や４箇所以上の適宜の複数個所に設けることができる。
そして、各保持部材１０（１０１，１０２，１０３）は、５個又は６個の開口孔（スリット）の中から２個の開口孔を適宜組み合わせて、それぞれ３組の一対の開口孔（スリット）を有するものとして説明したが、これに限らない。例えば、同じ各保持部材１０に、スリットを同じ個数や配置で形成した場合でも、商品構成や表示板９の寸法等に応じて、どのスリット同士を組みとするのかを決めることができ、この組み合わせを適宜変更することにより、一対のスリットの組数を自在に変えることができる。
【００４７】
以上の説明において、自動販売機１は、販売商品に関する展示室として、商品サンプルＳを展示する商品サンプル展示室７を有する場合で説明したが、展示室はこれに限らない。自動販売機１は、図示を省略するが、例えば、展示室として、販売商品自体を直接展示する販売商品展示室を有するものであってもよい。この場合、自動販売機１は、この販売商品展示室内に、販売商品を配置すると共にこの販売商品を例えば前面パネル側に向って払い出すための販売商品払出装置と、前面パネル７ａと販売商品払出装置との間の領域を移動すると共に販売商品払出装置から払い出された販売商品を受け入れる受入容器とを含んで構成される。
具体的には、販売商品払出装置は、それぞれが同種類の複数の商品を収納する複数の商品収納コラムを備え、各商品収納コラムは、例えば、利用者により選択された販売商品を前面パネル側へ払い出すコンベア等の払出機構を備えて構成されている。上記受入容器は、前面パネル幅方向及び高さ方向に自在移動可能に構成されている。受入容器は、利用者によって購入商品が選択されると、対応する商品収納コラムの前方に移動して待機し、商品収納コラムから払い出された販売商品を受け入れ、その後、この販売商品を商品取出口に搬出する。これにより、利用者は、商品を商品取出口から取り出すことができる。なお、受入容器は、展示室の幅方向に延在し、展示室の幅と略同じ幅を有してトレイ状に形成されてもよい。この場合、このトレイ状の受入容器は、展示室内で上下方向にのみ移動するように構成されている。
本発明は、このように、展示室に販売商品自体を展示するタイプの自動販売機１にも適用することができる。この場合、この自動販売機１は、販売商品に関する展示室としての販売商品展示室内に、表示板９と、この表示板９を吊下げる吊下げ部１１を有する表示板保持部材としての保持部材１０と、を備え、保持部材１０は、販売商品展示室内にて前面パネル幅方向に延在してなり、吊下げ部１１は、この保持部材１０の延在方向に離間する複数個所に設けられる。これにより、表示板９の前面パネル幅方向についての吊下げ位置を変更したい場合は、複数の吊下げ位置に対応して設けられる各吊下げ部１１の中から適切な吊下げ部１１を適宜選択して、表示板９の吊下げ位置を変更することができる。その結果、例えば、販売の促進効果の向上や販売商品展示室内の販売商品の視認性低下の抑制等を図ることができる。
なお、表示板保持部材としての保持部材１０は、前面パネル７ａと受入容器との間に設けるとよい。これにより、表示板９を販売商品展示室内で前面パネル７ａ側に寄せて配置させ、表示板９の視認性を高めることができる。また、販売商品自体を展示するタイプの自動販売機１における保持部材１０及び表示板９としては、商品サンプルＳを展示するタイプの自動販売機１において説明した変形例を適宜適用することができる。
【００４８】
以上、好ましい実施形態及びその変形例を参照して本発明の内容を具体的に説明したが、本発明の基本的技術思想及び教示に基づいて、当業者であれば、さらに、種々の変形態様を採り得ることは自明である。
【符号の説明】
【００４９】
１・・・・・・・・自動販売機
７・・・・・・・・展示室（商品サンプル展示室）
７ａ・・・・・・・前面パネル
８・・・・・・・・サンプル保持部材（サンプル台）
９・・・・・・・・表示板
９ａ・・・・・・・上方切欠き部
９ｂ，９ｂ・・・・一対の側方切欠き部
１０・・・・・・・表示板保持部材（保持部材）
１０ａ・・・・・・前面部
１０ｂ・・・・・・下端部
１１・・・・・・・吊下げ部
１２・・・・・・・商品選択ボタン
１０１ｂ１，１０１ｂ１・・・一対の開口孔（スリット）
１０１ｂ２，１０１ｂ２・・・一対の開口孔（スリット）
１０１ｂ３，１０１ｂ３・・・一対の開口孔（スリット）
１０２ｂ１，１０２ｂ１・・・一対の開口孔（スリット）
１０２ｂ２，１０２ｂ２・・・一対の開口孔（スリット）
１０２ｂ３，１０２ｂ３・・・一対の開口孔（スリット）
１０３ｂ１，１０３ｂ１・・・一対の開口孔（スリット）
１０３ｂ２，１０３ｂ２・・・一対の開口孔（スリット）
１０３ｂ３，１０３ｂ３・・・一対の開口孔（スリット）
Ｓ・・・商品サンプル
【図１】
2016053752.tif 000003
【図２】
2016053752.tif 000004
【図３】
2016053752.tif 000005
【図４】
2016053752.tif 000006
【図５】
2016053752.tif 000007
【図６】
2016053752.tif 000008
【図７】
2016053752.tif 000009
【図８】
2016053752.tif 000010
【図９】
2016053752.tif 000011
【図１０】
2016053752.tif 000012
【図１１】
2016053752.tif 000013